(57)【要約】【課題】様々な大きさのゴミ箱に対し、ゴミ袋を装着したときに生じるゴミ袋の端部のはみ出しを無くす簡単な手段を与える。【解決手段】プラスチック製のゴミ袋をその端部がはみ出すことなく、ゴミ箱に綺麗に装着できるようにするために帯状の留め具を用いる。加えて様々なごみ箱の開口部の大きさに合わせて帯状の留め具の作るリングの大きさを広範囲に変えられるように、帯状の留め具を長尺にし、リングをつくるときに重なり合う帯同士のいずれの場所でも係止できるようにする。さらに帯状の留め具でリングを作ったときに、リング形状を安定的に保持し、しっかりとゴミ箱に嵌めることができるように、帯状の留め具の材質と形状を最適なものとする。【選択図】図５
2016210613.tif 000002
【特許請求の範囲】
【請求項１】
開口部が円形である円柱、円錐台の形状のゴミ箱に対し、その内部にプラスチック製のゴミ袋を被せて装着したときにゴミ袋の端部がゴミ箱の外側にはみ出ないようにするためのゴミ箱の側板の内側上部に嵌める帯状の留め具であって、その留め具がＪＩＳ  Ｋ６２５３  デュロメーター  タイプＡにおける硬度７２度以上９２度以下の範囲にある粘着性を有する熱可塑性エラストマーでできていることを特徴とする留め具であって、その帯状の留め具をその長手方向に丸めてゴミ箱の内側上部に嵌まる円形のリングを作ったときに、リングの直径をその帯の長さが許す限り様々な大きさに変え、また任意の大きさに保持できるようにその帯の両端の重なり合う部分の全面またはいずれかの場所でその帯状の留め具自体の表面の粘着性または表面の密着による機密性によって係止することができることを特徴とする留め具であって、そのリングの一部が角張ることなく万遍なく丸い曲部を作るようにその重なり合う部分が円周全体の４分の１以上となることを特徴とする長尺の帯状の留め具
【請求項２】
開口部が円形である円柱、円錐台の形状のゴミ箱に対し、その内部にプラスチック製のゴミ袋を被せて装着したときにゴミ袋の端部がゴミ箱の外側にはみ出ないようにするためのゴミ箱の側板の内側上部に嵌める帯状の留め具であって、その留め具がＪＩＳ  Ｋ６２５３  デュロメーター  タイプＡにおける硬度７２度以上９２度以下の範囲にある熱可塑性エラストマーまたは熱硬化性エラストマーでできており、その帯状の留め具をその長手方向に丸めて円形のリングを作ったときに、リングの直径をその帯の長さが許す限り様々な大きさに変え、また任意の大きさに保持できるように、重なり合う帯と帯とを重なり合ういずれの場所でも粘着性を有するエラストマーゲルを係止部材として留め合わせることができることを特徴とする帯状の留め具であって、そのリングの一部が角張ることなく万遍なく丸い曲部を作るようにその重なり合う部分が円周全体の４分の１以上となることを特徴とする長尺の帯状の留め具
【請求項３】
請求項１または請求項２の帯状の留め具において、リングを作ったとき、リングのいずれの部分の厚みも３ｍｍ以上である型崩れしにくいリングを作ることができる長尺の帯状の留め具
【請求項４】
請求項１、請求項２または請求項３の帯状の留め具が、熱可塑性エラストマーのポリ塩化ビニルでできていることを特徴とする長尺の帯状の留め具
【請求項５】
請求項１、請求項２、請求項３または請求項４の帯状の留め具において、ゴミ箱開口部の大きさに合わせてリングを作るときに、開口部の円周の長さを測ることができるように、帯状の留め具に定規のような目盛りを付けていることを特徴とする長尺の帯状の留め具
【発明の詳細な説明】
【技術分野】
【０００１】  本発明はゴミ袋をゴミ箱に装着するときに、ゴミ袋の端部がゴミ箱からはみ出ないよう綺麗に装着できる留め具に関する。
【背景技術】
【０００２】  一般的に開口部が円形の円柱、円錐台の形状のゴミ箱は、ゴミを入れたときにゴミ箱の内面が汚れないようにするために、プラスチック製のゴミ袋をゴミ箱の中に被せるように装着して、ゴミをゴミ箱内のゴミ袋の中に貯めるようにして使われる。
しかし、ゴミ袋をゴミ箱の中に装着したときに、ゴミ袋の端部がゴミ箱の開口部から外側にはみ出し、だらしない外観となってしまう。
このような外観の悪化を解消するために、これまでゴミ袋の端部のはみ出しを隠すよう、板状のカバーをゴミ箱の外側に被せたり、はみ出し部分に帯状のものを巻き付けたりといった方法が取られてきた。
しかし、ゴミ箱の外側に板状のカバーを被せることはゴミ箱自体を重いものにし、外観を重ったるく、むさ苦しいものにしていた。
また、帯状のものをゴミ箱の外側の側面上部に貼り付けて、ゴミ袋のはみ出しを隠す方法も、ごみ箱本来のシンプルで美しいデザインを損なっていた。
一方、ゴミ箱の上端開口部に嵌める留め具によって、ゴミ袋をゴミ箱上端で挟んで押さえると同時にゴミ袋の端部をゴミ箱の中に折り返すことでごみ袋の端部を隠す方法もとられてきた。
しかし、これらの留め具は定まった大きさの直径の円形の枠であり、その大きさを変えることができなかった。よって、これらは特定の大きさの開口部を持つゴミ箱にしか対応せず、これらの留め具はゴミ箱と一体で売られ、利用されることに限定されていた。
そこでゴミ箱の開口部の大きさに合せて、帯状の留め具の両端を係止具で留め合わせ円形のリングをつくり、そのリングをゴミ箱の内側上部に嵌めることで、ゴミ袋をゴミ箱上端で挟んで押さえると同時にゴミ袋の端部をゴミ箱の中に折り返すことでゴミ袋の端部を隠す方法が考案された。
しかし、この方法では帯両端の係止部を設けた部分同士でしか留め合わせることができないため、リングを作ったときに適応できるゴミ箱の開口部の大きさが限定され、広範な大きさの開口部に対応させることはできなかった。
加えて帯の端部同士のみを係止する方法では、材料によっては係止される場所の弾力や剛性が他の部分と異なるため、リングを作ったときに係止部付近の曲部が角張ったり、材料が硬すぎるために係止が外れて円形を成さなくなったり、十分な材料硬度がないためリングが丸くならず波打ってゴミ箱内に脱落したり、作られたリングが時間の経過とともに部分的にたわみ変形することでゴミ袋をゴミ箱に支持できなくなったり、帯状の留め具でリングを作ったときに十分に固いリングができずゴミ箱への装着が困難になったりといった様々な問題が生じた。
【先行技術文献】
【特許文献】
【０００３】
【特許文献１】実用新案登録第３１６５７３９号
【特許文献２】特許第４８７５２１０号
【特許文献３】実開平６−４５９０９
【特許文献４】特開２００４−９１２０３
【特許文献５】実開平２−２８８０３
【特許文献６】特開２００２−３０２２０８
【発明の概要】
【発明が解決しようとする課題】
【０００４】  プラスチック製のゴミ袋をゴミ箱の中に装着したときに生じるゴミ袋の端部のはみ出しを、ゴミ箱の外側から板状または帯状のもので覆い隠したのでは、ゴミ箱本来のシンプルなデザインを変え悪化させてしまう。またそれを隠すための板状のカバー等は重く、ゴミ箱のすっきりとした軽量感を損なってしまう。
一方、ゴミ箱開口部上端に嵌める留め具でゴミ袋の開口部付近を挟んでゴミ袋の端部をゴミ箱内部に折り返す方法では、確かにゴミ袋の端部は隠れて綺麗であるものの、留め具は特定の大きさのゴミ箱にしか対応しないため、留め具を有しない既製のゴミ箱についてはゴミ袋の端部のはみ出しを解消できない。
また、帯状の留め具をその帯の両端に設けられた係止具で留め合せリングを作り、そのリングをゴミ箱の内側上部に嵌め、そのリングとゴミ箱の内壁面でゴミ袋の開口部付近を挟んでゴミ袋の端部をゴミ箱内に折り返して隠す方法では、帯両端の係止具同士を留め合わせることしかできないためリングの大きさを広範囲に変えることができず、広範な大きさのゴミ箱に対応させることができない。
加えて、帯状の留め具の両端部のみを留め合わせる方法では、帯の材質によっては形成したリング形状の保持性が劣り、ゴミ袋をゴミ箱にしっかりと長時間固定することができずゴミ袋がゴミ箱内に脱落したり、ゴミ袋をゴミ箱へ装着すること自体が困難になったりする。
本発明が解決しようとする課題は、広範囲な大きさの円形の開口部を有するゴミ箱に対しゴミ袋を装着したときのゴミ袋端部のはみ出しをゴミ箱の外側の側面を何かで覆うことなく、簡便な方法で解消することであり、加えてゴミ箱に装着したゴミ袋を長時間に渡って安定的に支持できる留め具の最適な形状と材質を提供することである。
【課題を解決するための手段】
【０００５】  本発明は、ゴミ箱の外側に装具を着けるのではなく、ゴミ箱の側板の内側上部に嵌める帯状の留め具を用いる。この留め具は、帯を長手方向に丸めてリングを作ったときに、リングの大きさを広範囲に変えられるよう長尺の帯を用い帯のいかなる場所でも留め合わせることができるようにする。
また、この帯が重なり合う部分の長さやリングの厚みや係止方法また帯の材質や硬さを最適にすることで、この帯状の留め具で均整のとれた円形の固いリングを作れるようにし、これにより帯状の留め具をゴミ箱の内壁面に装着しやすく、ゴミ袋をゴミ箱に長時間安定的に留められるようにする。
加えて、この帯状の留め具で、様々な大きさのゴミ箱の開口部に合ったリングを容易に作られるように、この帯状の留め具に定規のような目盛を付けてゴミ箱の開口部の円周の大きさを測ることができ、そのように測った長さに合わせてリングを作ることができるようにする。
【発明の効果】
【０００６】  本発明の帯状の留め具を用いることで、ゴミ箱にプラスチック製のゴミ袋を装着したときに生じるゴミ袋の端部のはみ出しをなくすことができ、ゴミ箱の外側に何も装具を装着しないため、ゴミ箱はシンプルですっきりしており綺麗である。
また、本発明の帯状の留め具はゴミ箱の開口部の大きさを帯状の留め具に記された目盛によって測り、それを参考に十分な長さの帯状の留め具でリングを作るため、リングの大きさを広範囲に変えられ、リングを作ったときに両端の帯の重なり合う部分のいずれの場所でも係止できるため、様々な大きさのリング形状を作り保持することができる。これにより、一つの帯状の留め具でとても広範囲な大きさのごみ箱に対応させることができる。
加えて、本発明の帯状の留め具は、リングを作ってゴミ箱に嵌めたときに、帯が重なり合う部分の大きさやリングの厚みや帯の材質や硬さが最適であるため、長時間にわたってリングの変形やたわみがなくゴミ袋をゴミ箱にしっかりと支持することができる。
さらに、本発明の帯状の留め具はゴミ箱の側板との間に生じる応力や摩擦力によってゴミ袋を挟んで堅く固定できるため、ゴミ袋を装着した状態でゴミ箱を逆さにしても、ゴミ袋がゴミ箱から外れることがない。これはゴミ箱をひっくり返して、その中のゴミのみを空けることができることを意味し、ゴミの排出を繰り返しても、ゴミ袋をゴミ箱から外す必要がなく、ゴミ袋を続けて利用できるため、ゴミ袋の交換が不要となり、大変エコロジカルである。
【図面の簡単な説明】
【０００７】
【図１】本発明の長尺の帯状の留め具を用いてゴミ袋を装着した円錐台形状のゴミ箱の斜視図
【図２】本発明の長尺の帯状の留め具を用いてゴミ袋を装着した円錐台形状のゴミ箱の断面図
【図３】様々な形状の本発明の長尺の帯状の留め具
【図４】本発明の長尺の帯状の留め具をゴミ袋なしで大小２種類の大きさのゴミ箱に嵌めた上面図
【図５】本発明の長尺の帯状の留め具を用いてごみ袋をごみ箱に装着する様子を示した図
【図６】本発明の帯状の留め具を熱硬化性ポリウレタンエラストマーゲルで係止してリングを作る様子を示した図
【図７】帯両端の重なり部分がリング円周の４分の１未満である短い帯状の留め具（比較例）をゴミ袋なしでゴミ箱に嵌めたときに起こるリング変形不具合の様子を示した上面図
【図８】ＪＩＳ  Ｋ６２５３  デュロメーター  タイプＡにおける硬度が６７度であり、丸めて作ったリングの厚みが２ｍｍである柔らかく薄い帯状の留め具（比較例）をゴミ袋なしでゴミ箱に嵌めたときに起こるリング変形不具合の様子を示した上面図
【図９】本発明の長尺の帯状の留め具でゴミ袋を装着した円錐台形状のゴミ箱を傾けて、その中のゴミを排出している様子を示した図
【発明を実施するための形態】
【０００８】  本発明を添付図に基づき説明する。
図１は、本発明の長尺の帯状の留め具を用いて、プラスチック製のごみ袋１を円錐台形状のごみ箱２に嵌めて装着した状態の斜視図である。本発明の帯状の留め具を用いることで、ごみ袋１はその端部をごみ箱２の外側にはみ出すことなく、ごみ箱２にきっちり装着することができている。
【０００９】  図２は、本発明の長尺の帯状の留め具３を装着した円錐台形状のゴミ箱２の断面図である。図２の留め具３はＪＩＳ  Ｋ６２５３  デュロメーター  タイプＡにおける硬度８７度であり、粘着性を有する熱可塑性エラストマーでできた厚み２ｍｍの長尺の帯状の留め具である。この帯状の留め具３は丸めてリングを作ったときに均整の取れた円を作り、帯と帯の重なり合った部分を帯表面の粘着性と密着による機密性でしっかりと留め合わせることができる。このとき帯の端部と端部の重なり合う部分が大きければ大きいほど粘着面が大きくなるため、しっかりと帯は係止され、作られたリングは係止部が角張ることがなく均整のとれた円形を長時間保持することができる。この図の帯状の留め具３においては、帯と帯の重なりあった部分が円周全体の約３分の１であり、またリングの固さも十分に固いため、ゴミ箱にきつくしっかりと嵌め込むことができる。この帯状の留め具３において熱可塑性エラストマーを用いていることには意味がある。熱可塑性エラストマーは熱硬化性エラストマーに比べ弾性より可塑性が強いため、リングの形状保持性が優れるからである。加えてＪＩＳ  Ｋ６２５３  デュロメーター  タイプＡにおける硬度が８７度と硬いため、作ったリングをゴミ箱２に嵌めたときにゴミ箱２の内壁面に対し応力が生まれ、ゴミ箱内にしっかりとゴミ袋１を固定することができるのである。
【００１０】  図３には、様々な形状の本発明の帯状の留め具が示されている。本発明の留め具は帯の形状が長方形である長尺の帯状の留め具４のみならず、長方形の帯の端部の角が丸みを帯びた長尺の帯状の留め具５や、帯に目盛りが記され目盛が記された部分がリングを作る際に帯の他端と重ならないように目盛部分が凸状に出ている凸型の長尺の帯状の留め具６や、帯の厚みが一定ではなく端部に向かうにしたがって薄くなっているくさび形状の長尺の帯状の留め具７や、帯が透明または半透明のものや、帯の長さが１．７ｍを超す極めて長尺なものなど、様々な形を考えることができる。ただ、ここに挙げる実施例はあくまで例であり、本特許の請求範囲を限定するものではない。
【００１１】  図４は、本発明の長尺の帯状の留め具をゴミ袋なしで大小２種類の大きさのゴミ箱に嵌めた上面図である。この帯状の留め具は、広範な大きさのゴミ箱に対応できるよう、十分な長さの帯となっている。図４に示す実施例の長尺の帯状の留め具は厚みが２ｍｍで長さが１３０ｃｍであるため、直径が３０ｃｍの大きな円形の開口部を有するゴミ箱に対して嵌めた場合８でも、その内側上部に嵌めるに十分な大きさのリングを作ることができる。しかも、作られたリングは端部の帯と帯の重なる部分が、円周全体の４分の１以上となることで、角張った部分のない均整のとれた円形のリングとなり、重なり合った帯同士の粘着性と気密性で係止されることで弾力のある固いリングを作り、ゴミ箱の開口部にしっかりと嵌めることができる。
また、この同じ帯状の留め具を、直径が２０ｃｍの小さな円形の開口部を有するゴミ箱に対してリングを作って嵌めた場合９、帯は全周にわたって２重となり、リングのあらゆる場所の厚みが４ｍｍ以上となることで、より均整の取れた丈夫な弾力のあるリングを作ることができ、きっちりとゴミ箱の開口部に嵌めることができる。
このように、本発明の帯状の留め具は一つの長尺であることで、様々な大きさのゴミ箱に対応させることができる。
また、発明者は図４のように長尺の帯状の留め具で様々な大きさのリングを作り、その帯の表面の粘着性によってリングを係止しようとしたときに、熱可塑性エラストマーのポリ塩化ビニルが特にそれに適していることを発見した。
【００１２】  図５は本発明の長尺の帯状の留め具を用いてごみ袋をごみ箱に装着する様子を示した図である。長尺の帯状の留め具６をゴミ箱２に装着する手順は簡単であり、まず帯６をゴミ箱２の外周に当てその長さを測り、係止する位置の目安を付ける。そして、帯状の留め具６を丸めて、先程目安とした位置より少し小さくなるように帯６を巻いてリングを作り、そのリングをゴミ箱２の内側上部にきっちりと嵌める。もし、リングの大きさが大き過ぎたり、小さ過ぎたりしてきっちりとゴミ箱２に嵌らない場合は再度リングを作り直し、ゴミ箱２の内側上部にきっちりと嵌る大きさにする。このとき、図５にあるように本発明の帯状の留め具６に付けられた目盛を参考にすることで、よりリングの大きさを調整しやすくなる。リングがゴミ箱２にきっちり嵌る大きさになったら、一旦リングをゴミ箱２から外し、図５のようにゴミ袋１をリングに被せる。そして、ゴミ袋１を被せたリングをゴミ袋１の端がゴミ箱２の中に隠れるようにゴミ箱２に嵌め込む。このようにすることで、ゴミ袋１の端部がはみでることなくゴミ袋１をゴミ箱２に綺麗に装着することができる。
このように一度サイズ調整をして作ったリングはゴミ箱２からの着脱を繰り返しても続けて同じゴミ箱に嵌めることができるため、リングの大きさ調整は初回のみであり手間なく便利である。
【００１３】  図６は熱硬化性エラストマーでできた本発明の長尺の帯状の留め具である。熱硬化性エラストマーは熱可塑性エラストマーより可塑性が弱く、弾性が強いため、材料表面の粘着性だけで、帯状の留め具を係止しリングを作ることは困難である。よって、帯状の留め具を丸めて係止するためには、エラストマーゲルを係止部材として用いる。帯でリングをつくったときに重なり合う帯と帯との間にエラストマーゲルである熱硬化性ポリウレタンエラストマーゲルのシート１１を貼ることで、帯と帯とをしっかり留め合わせることができ、円形のリングを作ることができる。発明者は帯状の留め具の係止部材としてエラストマーゲルが最適であることを発見した。エラストマーゲルとは熱硬化性または熱可塑性のポリウレタンエラストマーゲル、シリコンゲル、ポリイソブチレンエラストマーゲル、ポリスチレンエラストマーゲルなどであり、これらエラストマーゲルは何度でもどこでも着脱できること、剥がしたときに粘着面を汚さないことなどから、アクリル系粘着剤など他の粘着剤に比べ、帯状の留め具の係止部材として適していることを発明者は見出した。
また発明者は本発明の帯状の留め具を係止する方法として、面ファスナーや凹凸形状の嵌め具やマグネットシートを検討したがこれらは係止する面と面との両側に係止具を備えることを必要とし、また係止具を備えた場所でしか係止することができなかったり、係止したときに帯で作ったリングの一部が角張ったりすることで様々な大きさのゴミ箱に留め具を綺麗に手軽に装着することができなかった。
これらのことより、発明者はエラストマーゲルによる粘着を用いる係止方法が簡便であり、帯状の留め具に対して最適であることを発見した。
【００１４】  図７は帯状の留め具の長さが短いために、ゴミ箱の開口部に合わせてリングを作ったときに帯と帯との重なる部分が円周全体の４分の１に満たなかった留め具（比較例）１２のリング変形不具合を示した上面図である。この留め具１２でリングを作ったときには係止部付近が角張って均整の取れたリングを作ることができず結果的にリングはゴミ袋をしっかりと支持することができず、ゴミ袋がゴミ箱の中に脱落するなどの不具合を生じてしまう。
【００１５】  図８はＪＩＳ  Ｋ６２５３  デュロメーター  タイプＡにおける硬度が６７度であり、丸めて作ったリングの厚みが２ｍｍである柔らかく薄い帯状の留め具（比較例）１３のリング変形不具合の状態を示したものである。この帯状の留め具１３において、帯は柔らか過ぎるため、帯を丸めたときに生じる復元力が弱く、弾力を有する丸いリングが作れなくなる。これにより、この帯状の留め具１３をゴミ箱に嵌めたときにゴミ袋をゴミ箱の内壁に押し付ける応力が弱く、ゴミ袋をしっかりと支持できなくなる。また、リングの柔らかさに加えリングの厚みが２ｍｍと薄いこともリングが変形する原因となっている。
【００１６】  表１には２ｍｍ厚の帯状の留め具の硬度とリング形状保持の良否との関係を示している。ＪＩＳ  Ｋ６２５３  デュロメーター  タイプＡにおける硬度が６７度以下になるときに、リングが変形し不具合を起こし、ゴミ袋のゴミ箱への支持が難しくなる。また、硬度が９７度になるときには、帯が逆に硬すぎるため曲げて円を作ることが難しくなり、リングを作ったときの復元力が強すぎるためポリエラストマーゲルを用いても係止することができなくなる。
【００１７】
【表１】
2016210613.tif 000003
【００１８】  図９には本発明の帯状の留め具を用いてゴミ袋を装着した円錐台形状のゴミ箱を傾けて、その中のゴミを排出している様子を示している。本発明の帯状の留め具は従来の様々な留め具とは異なり、ゴミ袋をゴミ箱の内壁に押し当てて留めているため、ゴミ箱を逆さにしても、ゴミ袋がゴミ箱から抜け落ちることがない。これにより、ゴミ箱内のゴミを逆さにして空けてもゴミ袋はゴミ箱に残り、そのまま使い続けることができる。昨今、買い物袋をもらうことを控える風潮の中で、一つのゴミ袋を使い続けることができることは大変エコロジカルと言える。
従来の帯状でリングを作るタイプの留め具において、その帯にゴミ箱上端に引っ掛ける掛け具を備えるか、ゴミ箱の側板の内側上部にリングを引っ掛ける掛け具を備えるものもあったが、このような掛け具でリングを留める方法ではゴミ箱を逆さにしたときにゴミ袋が抜け落ちてしまうという問題があった。加えて、ゴミ箱側板の上端に掛け具の出っ張りができ、それがゴミ箱側板の上端に表れるゴミ袋の凸凹を作るため、ゴミ箱のすっきり感が損なわれるという問題があった。それに対して、本発明の長尺の帯状の留め具は図１にあるようにゴミ箱側板の上端に掛け具などによる凸凹がなく、円形のシルエットが現れるため、その外観が極めて綺麗である。
【産業上の利用可能性】
【００１９】  本発明の長尺の帯状の留め具は、ごみ袋をごみ箱に綺麗に装着でき、ごみ箱をシンプルですっきりと見せるだけでなく、ごみ箱が置かれた部屋をも綺麗に見せることができる。よって、室内空間を美しく保つことが求められるホテルや旅館や美術館や公共施設などにおいては大いに利用できる。また民家においても円柱形また円錐台形のごみ箱は多く使われており、それら既存のごみ箱を簡単な方法で綺麗に見せることは多くの人々の求めるところである。また、帯状の留め具は極めてシンプルで、低コストであるため、多くの消費者に喜ばれるものである。
加えて、本発明の長尺の帯状の留め具を用いることで、ゴミの排出の際にゴミ袋を一緒に廃棄する必要がないため、ゴミ袋を再利用できエコロジカルである。
【符号の説明】
【００２０】１  プラスチック製のごみ袋
２  円錐台形状のごみ箱
３  長尺の帯状の留め具
４  長方形である長尺の帯状の留め具
５  長方形の帯の端部の角が丸みを帯びた長尺の帯状の留め具
６  目盛部分が凸状に出ている凸型の長尺の帯状の留め具
７  くさび形状の長尺の帯状の留め具
８  長尺の帯状の留め具を大きな円形の開口部を有するゴミ箱に嵌めた場合
９  長尺の帯状の留め具を小さな円形の開口部を有するゴミ箱に嵌めた場合
１０  熱硬化性エラストマーでできた本発明の長尺の帯状の留め具
１１  熱硬化性ポリウレタンエラストマーゲルのシートの係止部材
１２  リングを作ったときに帯と帯との重なる部分が円周全体の４分の１に満たない留め      具（比較例）
１３  ＪＩＳ  Ｋ６２５３  デュロメーター  タイプＡにおける硬度が６７度であり、丸      めて作ったリングの厚みが２ｍｍである柔らかく薄い帯状の留め具（比較例）
【図１】
2016210613.tif 000004
【図２】
2016210613.tif 000005
【図３】
2016210613.tif 000006
【図４】
2016210613.tif 000007
【図５】
2016210613.tif 000008
【図６】
2016210613.tif 000009
【図７】
2016210613.tif 000010
【図８】
2016210613.tif 000011
【図９】
2016210613.tif 000012